(57)【特許請求の範囲】
【請求項１】
液体である検体及び試薬が注入され、所定の垂直軸線を中心に回転させて使用する検査チップであって、
所定の厚みを有する主体と、前記表面及び裏面をそれぞれ封止する薄板とを備え、
前記主体の表面（おもて面）及び裏面は、各々、前記検体または試薬を定量する定量部と、
前記定量部に前記検体または前記試薬を供給する供給部と、
前記検体と前記試薬とが混合される混合部と、
前記混合部側に向けて前記検体または前記試薬を案内する第一案内部と、
前記定量部において余剰とされた前記検体または前記試薬を収容する余剰部と、
前記余剰側に向けて前記検体または前記試薬を案内する第二案内部と、
前記定量部において、前記混合部に連通する前記第一案内部との接続箇所である第一接続部と、
前記定量部において、前記余剰部に連通する前記第二案内部との接続箇所である第二接続部と、
を備え、
前記表面及び裏面が備える前記定量部、前記供給部、前記第一案内部、及び前記第二案内部は、前記所定の垂直軸線を中心にした回転をおこなったときに、前記試薬供給部の開口から前記定量部の開口に前記試薬が供給され、前記定量部において余剰とされた前記試薬が前記第二案内に案内され前記余剰部に収容可能に構成されており、
前記表面において第一接続部と第二接続部とを結ぶ線分と、前記裏面において第一接続部と第二接続部とを結ぶ線分と、が前記検査チップの厚み方向において重なる部分があることを特徴とする検査チップ。
【請求項２】
前記検査チップの表面における前記第一接続部の位置と、前記検査チップの裏面における前記第一接続部の位置とが、前記検査チップの厚み方向において重なることを特徴とする請求項１に記載の検査チップ。
【請求項３】
二つの前記定量部は、前記主体の前記表面（おもて面）から前記裏面の方向に見た場合には、少なくとも互いの一部が重なるように形成され、
二つの前記定量部の容積の比がＡ：Ｂであり、且つ、Ａ＞Ｂである場合に、
容積の比がＡの前記定量部の前記厚み方向の深さＴＡは、容積の比がＢの前記定量部の前記厚み方向の深さＴＢより深く、
前記検査チップの厚みをｔとした場合に、
ｔ−ＴＡ−ＴＢが、少なくとも前記定量部において、一定であることを特徴とする請求項１又は２に記載の検査チップ。
【請求項４】
前記検査チップの前記表面及び前記裏面の前記各第一案内部は、下流に向かうにつれて、前記検査チップの厚み方向に対して流路を拡狭させる傾斜した傾斜面を各々含み、
容積の比がＢの前記定量部の前記第一接続部と前記第二接続部と間の幅が、容積の比がＡの前記定量部の前記第一接続部と前記第二接続部と間の幅より狭く、
前記各傾斜面の上流側は、各々の前記第一接続部であり、
前記傾斜面の下流の端部は、
前記第一接続部と前記第二接続部との間の幅の狭い方の前記定量部において、前記供給部の前記第一案内部側の底面に平行に前記第二接続部から引いた直線が前記第一案内部の壁面との交差する交点より前記定量部と反対側に位置することを特徴とする請求項１から３の何れかに記載の検査チップ。
【請求項５】
前記検体または前記試薬を受ける受け部の数が前記第一案内部の下流側において多い方の面側の前記定量部の深さは、前記検体または前記試薬を受ける受け部の数が少ない方の面側の前記定量部の深さより深いことを特徴とする請求項１から４の何れかに記載の検査チップ。
【発明の詳細な説明】
【技術分野】
【０００１】
本発明は、検体と試薬とが混合される混合部を有する検査チップに関する。
【背景技術】
【０００２】
従来、生体物質、または化学物質等の検体を検査するための検査チップが知られている。例えば特許文献１に開示の検査チップの一つの面には、液体試薬を保持する二つの液体試薬保持部１０４，１０５と、液体試薬を計量する二つの液体試薬計量部１０６，１０７が設けられている。液体試薬計量部１０６，１０７には、各々、液体試薬が定量部から溢れ出る仮想的な面である定量面が存在する。この検査チップでは、液体試薬計量部１０６，１０７の入り口方向に対して遠心力を作用させて、液体試薬保持部１０４から液体試薬計量部１０６に液体試薬が注入される。また、液体試薬保持部１０５から液体試薬計量部１０７に液体試薬が注入される。液体試薬計量部１０６，１０７に注入された液体試薬は、前記定量面までの容積が各々定量される。
【先行技術文献】
【特許文献】
【０００３】
【特許文献１】特開２００９−２５８０１３号公報
【発明の概要】
【発明が解決しようとする課題】
【０００４】
特許文献１に開示の検査チップの一つの平面内には、二つの液体試薬保持部１０４，１０５と、二つの液体試薬計量部１０６，１０７が設けられているために、検査チップが平面方向に大型化するという問題がある。
【０００５】
本発明の目的は、検体または試薬を定量する複数の定量部及び検体または試薬を各定量部に各々供給する複数の供給部を有する場合でも、小型化ができる検査チップを提供することである。
【課題を解決するための手段】
【０００６】
液体である検体及び試薬が注入され、所定の垂直軸線を中心に回転させて使用する検査チップであって、所定の厚みを有する主体と、前記表面及び裏面をそれぞれ封止する薄板とを備え、前記主体の表面（おもて面）及び裏面は、各々、前記検体または試薬を定量する定量部と、前記定量部に前記検体または前記試薬を供給する供給部と、前記検体と前記試薬とが混合される混合部と、前記混合部側に向けて前記検体または前記試薬を案内する第一案内部と、前記定量部において余剰とされた前記検体または前記試薬を収容する余剰部と、前記余剰側に向けて前記検体または前記試薬を案内する第二案内部と、前記定量部において、前記混合部に連通する前記第一案内部との接続箇所である第一接続部と、前記定量部において、前記余剰部に連通する前記第二案内部との接続箇所である第二接続部と、を備え、前記表面及び裏面が備える前記定量部、前記供給部、前記第一案内部、及び前記第二案内部は、前記所定の垂直軸線を中心にした回転をおこなったときに、前記試薬供給部の開口から前記定量部の開口に前記試薬が供給され、前記定量部において余剰とされた前記試薬が前記第二案内に案内され前記余剰部に収容可能に構成されており、前記表面において第一接続部と第二接続部とを結ぶ線分と、前記裏面において第一接続部と第二接続部とを結ぶ線分と、が前記検査チップの厚み方向において重なる部分があることを特徴とする。
【０００７】
上記検査チップによれば、二つの定量部が、検査チップの表面及び裏面に各々設けられるので、検査チップを面方向において小型化できる。また、表面において第一接続部と第二接続部とを結ぶ線分と、裏面において第一接続部と第二接続部とを結ぶ線分と、が検査チップの厚み方向において重なる部分がある。これにより、検査チップが、第一軸を中心に回転され、表面及び裏面の各定量部において、検体、または試薬が定量される際に、検査チップの表面及び裏面において、第一接続部と第二接続部とを結び検体または試薬を定量する定量面を第一軸から同じ距離にできる。従って、各定量面に垂直に作用される遠心力の大きさを同じにして、各定量部における定量精度の低下を低減できる。
【０００８】
前記検査チップの表面における前記第一接続部の位置と、前記検査チップの裏面における前記第一接続部の位置とが、前記検査チップの厚み方向において重なってもよい。
【０００９】
前記検査チップは、二つの前記定量部は、前記主体の前記表面（おもて面）から前記裏面の方向に見た場合には、少なくとも互いの一部が重なるように形成され、二つの前記定量部の容積の比がＡ：Ｂであり、且つ、Ａ＞Ｂである場合に、容積の比がＡの前記定量部の前記厚み方向の深さＴＡは、容積の比がＢの前記定量部の前記厚み方向の深さＴＢより深く、前記検査チップの厚みをｔとした場合に、ｔ−ＴＡ−ＴＢが、少なくとも前記定量部において、一定であってもよい。
【００１０】
前記検査チップの表面及び裏面の前記各第一案内部は、下流に向かうにつれて、前記検査チップの厚み方向に対して流路を拡狭させる傾斜した傾斜面を各々含み、容積の比がＢの前記定量部の前記第一接続部と前記第二接続部と間の幅が、容積の比がＡの前記定量部の前記第一接続部と前記第二接続部と間の幅より狭く、前記各傾斜面の上流側は、各々の前記第一接続部であり、前記傾斜面の下流の端部は、前記第一接続部と前記第二接続部との間の幅の狭い方の前記定量部において、前記供給部の前記第一案内部側の底面に平行に前記第二接続部から引いた直線が前記第一案内部の壁面との交差する交点より前記定量部と反対側に位置してもよい。
【００１１】
前記検体または前記試薬を受ける受け部の数が前記第一案内部の下流側において多い方の面側の前記定量部の深さは、前記検体または前記試薬を受ける受け部の数が少ない方の面側の前記定量部の深さより深くしてもよい。
【図面の簡単な説明】
【００１２】
【図１】検査装置１及び制御装置９０を含む検査システム３の構成を示す図である。
【図２】第一実施形態の検査チップ２の正面図である。
【図３】第一実施形態の検査チップ２の背面図である。
【図４】第一実施形態の検査チップ２の図２のＸ１−Ｘ２線における縦断面図である。
【図５】遠心処理のフローチャートである。
【図６】遠心処理における検査チップ２の状態遷移図である。
【図７】図６の続きの検査チップ２の状態遷移図である。
【図８】図７の続きの検査チップ２の状態遷移図である。
【図９】第二実施形態の変形例の検査チップ２の図２のＸ１−Ｘ２線における矢印方向から見た縦断面図である。
【図１０】第一実施形態の検査チップ２の前面２０１の部分拡大図である。
【図１１】第一実施形態の検査チップ２の後面２０２の部分拡大図である。
【発明を実施するための形態】
【００１３】
本発明を具体化した実施形態について、図面を参照して説明する。尚、図１は、検査システム３を構成する検査装置１の平面及び制御装置９０の内部の機能ブロックを示している。
【００１４】
＜１．検査システム３の概略構造＞
図１を参照して、検査システム３の概略構造について説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００１５】
＜２．検査装置１の構造＞
図１を参照して、検査装置１の構造について説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。なお、図１は検査装置１の上部筐体３０の天板が取り除かれた状態を示す。
【００１６】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００１７】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００１８】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００１９】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００２０】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２１】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２２】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２３】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２４】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００２５】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００２６】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００２７】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００２８】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００２９】
＜３．制御装置９０の電気的構成＞
図１を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、及びプログラムを記憶するハードディスク装置９５と、各種情報を表示するディスプレイ９６とが接続されている。制御装置９０としては、パーソナルコンピュータを用いてもよいし、専用の制御装置を用いてもよい。
【００３０】
さらに、ＣＰＵ９１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ９１が公転コントローラ９７、自転コントローラ９８及び測定コントローラ９９を制御する。
【００３１】
＜４．検査チップ２の構造＞
図２及び図３を参照して、本実施形態に係る検査チップ２の詳細構造を説明する。以下の説明では、図２の上方、下方、左方、右方、紙面手前側、及び紙面奥側を、それぞれ、検査チップ２の上方、下方、左方、右方、前方、及び後方とする。検査チップ２は、第一軸を中心に回転されることで遠心力が付与され、且つ、前記第一軸とは異なる第二軸を中心に回転されることで前記遠心力の方向が変化される。
【００３２】
図２及び図３に示すように、検査チップ２は一例として前方から見た場合に正方形状であり、所定の厚みを有する透明な合成樹脂の板材２０を主体とする。図２に示すように、板材２０の前面２０１は、透明の合成樹脂の薄板から構成されたシート２９１によって封止されている。図３に示すように、前面２０１の反対側の後面２０２は、透明の合成樹脂の薄板から構成されたシート２９２によって封止されている。図２及び図３に示すように、板材２０とシート２９１との間、及び、板材２０とシート２９２との間には、検査チップ２に封入された液体が流動可能な液体流路２５が形成されている。液体流路２５は、板材２０の前面２０１側及び後面２０２側に所定深さに形成された凹部であり、板材２０の厚み方向である前後方向と直交する方向に延びる。シート２９１，２９２は、板材２０の流路形成面を封止する。シート２９１，２９２は、図２及び図３以外では図示を省略している。
【００３３】
液体流路２５は、検体定量流路１１、試薬定量流路１３，１５、第一接続流路３０１、第二接続流路３３１、混合部８０、及び測定部８１等を含む。図２に示すように、試薬定量流路１３は、前面２０１における左上部に設けられている。検体定量流路１１は、前面２０１における試薬定量流路１３の右側に設けられている。図３に示すように、試薬定量流路１５は、後面２０２側における左上部に設けられている。混合部８０は、前面２０１における右下部に設けられている。混合部８０は、後述する通路１１７に接続されて下方に延びる、後述する端部３１５及び後述する流入口３０６より右側の流路である。測定部８１は、混合部８０の下部である。
【００３４】
試薬定量流路１３、１５に共通する構成について説明する。図２及び図３に示すように、試薬定量流路１３，１５は、それぞれ、注入口１３０、試薬保持部１３１、供給部１３２、試薬定量部１３４、第一案内部１３８、第二案内部１３７、第三案内部１３９、及び余剰部１３６を含む。試薬保持部１３１は、検査チップ２の左上部に設けられている。試薬保持部１３１は、上方に開口する凹部である。注入口１３０は、試薬保持部１３１の上部から検査チップ２の上辺部２１に向かって板材２０を貫通する。注入口１３０は、第一試薬１８又は第二試薬１９が試薬保持部１３１に注入される部位である。試薬定量流路１３の試薬保持部１３１は、試薬定量流路１３の注入口１３０から注入された第一試薬１８が貯留される部位である。試薬定量流路１５の試薬保持部１３１は、試薬定量流路１５の注入口１３０から注入された第二試薬１９が貯留される部位である。尚、本実施形態の第二試薬１９は、第一試薬１８と後述する検体１７Ａとが混合された後に混合される試薬である。以下の説明では、第一試薬１８、及び第二試薬１９を総称する場合、又はいずれかを特定しない場合、試薬１６という。
【００３５】
図２及び図３に示すように、供給部１３２は、試薬保持部１３１の右上部分から下方向に延びる流路である。供給部１３２の下端部は、流路が狭く形成された通路である第三案内部１３９に繋がっている。試薬保持部１３１と供給部１３２との間には、壁部２７が設けられている。左辺部２３から上辺部２１に向けて壁部２７が右斜め上方に延びる。第三案内部１３９の下方には、試薬定量部１３４が設けられている。第三案内部１３９は、試薬定量部１３４に試薬１６を案内する。試薬定量部１３４は、試薬１６が定量される部位であり、左下方に凹む凹部である。
【００３６】
試薬定量部１３４は、第一接続流路３０１を介して混合部８０と接続されており、第二案内部１３７を介して余剰部１３６と接続されている。試薬定量部１３４の混合部８０側の端部を第一接続部１４１という。試薬定量部１３４の混合部８０とは反対側の端部を第二接続部１４２という。第一接続部１４１と第二接続部１４２とを結ぶ面は、試薬定量面１４６である。試薬定量面１４６は、試薬１６が試薬定量部１３４において定量される場合における試薬１６の上面の位置となる仮想的な面である。従って、試薬定量面１４６より下方の液体流路２５の容量が試薬定量部１３４における定量量である。
【００３７】
試薬定量部１３４の上部から、第二案内部１３７が左斜め下方に延びる。すなわち、第二案内部１３７は第二接続部１４２から余剰部１３６に向けて延びる。第二案内部１３７は、試薬定量部１３４から溢れた試薬１６が移動する流路である。試薬定量部１３４の左下方には、試薬余剰部１３６が設けられている。試薬余剰部１３６は、第二案内部１３７を移動した試薬１６が収容される部位であり、第二案内部１３７の下端部から下方向及び右方向に設けられた凹部である。
【００３８】
第一接続流路３０１について説明する。以下の説明では、試薬定量流路１３の試薬定量部１３４を試薬定量部１３４Ａといい、試薬定量流路１５の試薬定量部１３４を試薬定量部１３４Ｂという。第一接続流路３０１は、前面２０１に形成され、試薬定量部１３４Ａと混合部８０とを接続する流路である。第一接続流路３０１は、試薬定量部１３４Ａの上部から右斜め上方に延び、右端部から下方に延び、下端部からさらに右方に延びる。第一接続流路３０１は、第一壁面３０２と第二壁面３０３とによって形成されている。第一壁面３０２は、試薬定量部１３４Ａと対向して混合部８０側に延びる壁面である。第一壁面３０２は、第三案内部１３９の下端から、後述する流入口３０６を形成する右端部３１４まで延びる。第二壁面３０３は、第一壁面３０２に対向する壁部である。第二壁面３０３は、試薬定量部１３４Ａの第一接続部１４１から、後述する流入口３０６を形成する右端部３１３まで延びる。
【００３９】
第一接続流路３０１は、部分受け部３０４、試薬受け部３０５、及び流入口３０６を備えている。部分受け部３０４は、試薬定量部１３４Ａにおいて定量された第一試薬１８の一部を保持する部位である。部分受け部３０４は、試薬定量部１３４Ａの右方、且つ後述する合流孔部３５１より試薬定量部１３４Ａ側に設けられている。部分受け部３０４は、第一接続部１４１から第二接続部１４２に向かう左方向に開口する凹部である。部分受け部３０４は、試薬定量部１３４Ａの容量よりも小さい容量を有する。
【００４０】
第二壁面３０３のうち、試薬定量部１３４Ａの第一接続部１４１に接続された壁面を試薬流路壁面３０８という。すなわち、試薬流路壁面３０８は、第一接続流路３０１において試薬定量部１３４Ａに接続されており、第一接続流路３０１の一部を形成する。試薬流路壁面３０８は、試薬定量流路１３の試薬定量面１４６を、試薬定量面１４６と平行に混合部８０側である右側に延ばした仮想的な面である仮想面３２０より、第三案内部１３９側に傾いている。より詳細には、試薬流路壁面３０８は、第一壁面３０８Ａと、第二壁面３０８Ｂとから構成される。第一壁面３０８Ａは、第一接続部１４１から右斜め上方に延び、接続部３０９において第二壁面３０８Ｂに接続している。第二壁面３０８Ｂは、接続部３０９から右斜め上方に延びる。試薬流路壁面３０８における混合部８０側の第一端部３１０から、試薬流路壁面３０８に垂直な方向に引いた仮想線３１１は、部分受け部３０４より試薬定量部１３４Ａ側の第一接続流路３０１の部位と交差する。
【００４１】
試薬受け部３０５は、部分受け部３０４と混合部８０との間において、部分受け部３０４の下方に設けられている。試薬受け部３０５は、部分受け部３０４側である上方に開口を有する凹部であり、部分受け部３０４に保持された後に下方に移動する第一試薬１８を保持する部位である。試薬受け部３０５は、第二壁面３０３のうち、壁面３０３Ａ、壁面３０３Ｂ、及び壁面３０３Ｃによって形成されている。壁面３０３Ａは、試薬定量流路１３の試薬余剰部１３６の右方を上下に延びる壁面である。壁面３０３Ｂは、壁面３０３Ａの下端部から、右方向に延びる壁面である。壁面３０３Ｂの右端部は、混合部８０の左下方に位置する。壁面３０３Ｃは、壁面３０３Ｂの右端部から右斜め上方に延びる壁面である。
【００４２】
流入口３０６は、壁面３０３Ｃの右端部３１３と、右端部３１３の上方に位置する第一壁面３０２の右端部３１４とによって形成されている。流入口３０６は、混合部８０の左側に位置し、混合部８０に試薬１６を流入させる部位である。
【００４３】
第一接続流路３０１の下端部の左右方向中央部には、合流孔部３５１が設けられている。合流孔部３５１は、板材２０を前後方向に貫通し、第一接続流路３０１に第二接続流路３３１を合流させる孔部である。合流孔部３５１における第二壁面３０３側である下側の端部３５２と、端部３５２に対向する上側の端部３５３のうち、端部３５２は、第二壁面３０３の壁面３０３Ｂに沿って左右方向に延びる。端部３５３は、第一壁面３０２に沿っている。
【００４４】
第二接続流路３３１について説明する。図３に示すように、第二接続流路３３１は、後面２０２に形成され、試薬定量部１３４Ｂから混合部８０側に延び、試薬定量部１３４Ｂと混合部８０とを接続する流路である。第二接続流路３３１は、４つの試薬受け部３４１，３４２，３４３，３４４を備えている。試薬受け部３４１〜３４４は、試薬定量部１３４Ｂにおいて定量された第二試薬１９を受ける部位である。試薬受け部３４１は、試薬定量部１３４Ｂの右上方に位置し、左方に開口する凹部である。試薬受け部３４２は、試薬受け部３４１の左下方に位置し、上方に開口する凹部である。試薬受け部３４３は、試薬受け部３４２の右下方に位置し、左方に開口する凹部である。試薬受け部３４４は、試薬受け部３４３の下側に位置し、上方に開口する凹部である。
【００４５】
第二接続流路３３１は、試薬定量部１３４Ｂから右斜め上方に延びて試薬受け部３４１に繋がり、試薬受け部３４１から左斜め下方に延びて試薬受け部３４２に繋がる。第二接続流路３３１は、試薬受け部３４２から右斜め上方に延び、右端から下方に延びて試薬受け部３４３に繋がる。第二接続流路３３１は、試薬受け部３４３から左斜め下方に延びて試薬受け部３４４に繋がる。試薬受け部３４４の右端部は、合流孔部３５１に接続されており、前面２０１側の第一接続流路３０１に繋がる。
【００４６】
検体定量流路１１について説明する。図２に示すように、検体定量流路１１は、注入口１１０、検体保持部１１１、検体供給部１１２、検体案内部１１３、分離部１２４、通路１２５、通路１２７、検体余剰部１２６、第二供給部１２３、検体定量部１１４、通路１１５、通路１１７、及び第二余剰部１１６を含む。検体保持部１１１は、試薬定量流路１３の供給部１３２の右側に設けられている。検体保持部１１１は、上方に開口する凹部である。注入口１１０は、検体保持部１１１の上部から検査チップ２の上辺部２１に向かって板材２０を貫通する。注入口１１０は、検体１７が検体保持部１１１に注入される部位である。検体保持部１１１は、注入口１１０から注入された検体１７が貯留される部位である。本実施形態の検体１７は、例えば、血液、血漿、血球、骨髄、尿、膣組織、上皮組織、腫瘍、精液、唾液、又は食料品などの成分を含む液体である。検体供給部１１２は、検体保持部１１１の右上部分から下方に延びる流路である。検体供給部１１２の下端部は、流路が狭く形成された通路である検体案内部１１３に繋がっている。
【００４７】
検体案内部１１３の下方には、分離部１２４が設けられている。検体案内部１１３は、分離部１２４に検体１７を案内する。分離部１２４は検体１７に含まれる成分が分離される部位である。分離部１２４は、上方に開口し、右斜め下方に傾く凹部である。分離部１２４は、遠心力の作用によって、検体１７を比重の小さい成分と比重の大きい成分とに遠心分離する。以下の説明では、図６（Ｃ）に示すように分離部１２４において分離された検体１７の比重の小さい成分を検体１７Ａといい、比重の大きい成分を検体１７Ｂという。
【００４８】
分離部１２４の右側面における上下方向中央部から連結流路１２０が右斜め上方に延設され、連結流路１２０の上端部は成分保持部１２１の上端部に接続されている。成分保持部１２１は分離部１２４において分離された検体１７Ａと検体１７Ｂの一部とを保持する貯溜部である。また、連結流路１２０の流路の幅は、後述する通路１２７の流路の幅より狭い。このため、検体１７Ａは、連結流路１２０に流入するよりも先に通路１２７に流れ出す。故に、検体１７Ａが通路１２７より先に成分保持部１２１に流入してしまう可能性を低減できる。
【００４９】
分離部１２４の上部から、通路１２５が左斜め下方に延び、通路１２７が右斜め上方に延びている。通路１２５は、分離部１２４の左下方に設けられた検体余剰部１２６まで延びている。検体余剰部１２６は、分離部１２４から溢れ出た検体１７が貯留される部位であり、通路１２５の下端部から右方向及び下方向に設けられた凹部である。
【００５０】
通路１２７は、第二供給部１２３に繋がっている。第二供給部１２３は、通路１２７の右上部分から下方に延びる流路である。第二供給部１２３の下端は、流路が狭く形成された通路である第二案内部１２８に繋がっている。第二案内部１２８の下方には、検体定量部１１４が設けられている。第二案内部１２８は、検体定量部１１４に検体１７Ａを案内する。検体定量部１１４は、検体１７Ａを定量する部位であり、上側に開口する凹部である。
【００５１】
検体定量部１１４は、通路１１７を介して混合部８０と接続されており、通路１１５を介して第二余剰部１１６に接続されている。検体定量部１１４の混合部８０側の端部を第一検体端部１１８という。検体定量部１１４の混合部８０とは反対側の端部を第二検体端部１１９という。すなわち、通路１１５は第二検体端部１１９から第二余剰部１１６に延びる。第一検体端部１１８と第二検体端部１１９とを結ぶ面は、検体定量面１２９である。検体定量面１２９は、検体１７Ａが検体定量部１１４において定量される場合における検体１７Ａの上面の位置となる仮想的な面である。従って、検体定量面１２９より下方の液体流路２５の容量が検体定量部１１４における定量量である。
【００５２】
検体定量部１１４の上部から、通路１１５が左斜め下方に延び、通路１１７が右斜め上方に延びている。検体定量部１１４の左下方には、第二余剰部１１６が設けられている。通路１１５は、第二余剰部１１６に繋がっている。第二余剰部１１６は、検体定量部１１４から溢れ出た検体１７Ａが貯留される部位である。第二余剰部１１６は、通路１１５の下端部から右方向に設けられた凹部である。通路１１７は、混合部８０に繋がっている。
【００５３】
検体定量部１１４の混合部８０側に設けられ、検体定量部１１４に接続された壁面を検体流路壁面３１２という。検体流路壁面３１２は、検体定量面１２９を、検体定量面１２９と平行に混合部８０側である右側に延ばした仮想面３２１より、第二案内部１２８側に傾いている。より詳細には、検体流路壁面３１２は、検体定量部１１４の第一検体端部１１８から右斜め上方に延びる。また、混合部８０における検体流路壁面３１２と平行な仮想的な面を仮想面３１７という。仮想面３１７の位置は、混合部８０における、仮想面３１７より検体流路壁面３１２より遠い側である下側の部位と仮想面３１７とによって囲まれる領域３１８の容量が、試試薬定量部１３４Ａの容量から部分受け部３０４の容量を引いた差分容量と等しくなる位置である。検体流路壁面３１２における混合部８０側の端部３１５から、検体流路壁面３１２に垂直な方向に引いた仮想線３１６は、仮想面３１７と交差する。
【００５４】
図３及び図１１に示す点線は、前面２０１の流路を示している。図１１に示すように、前面２０１において第一接続部１４１Ａと第二接続部１４２Ａとを結ぶ線分１４６Ａと、後面２０２において第一接続部１４１Ｂと第二接続部１４２Ｂとを結ぶ線分１４６と、が検査チップ２の厚み方向において重なる部分がある。これにより、検査チップ２が垂直軸線Ａを中心に回転され、前面２０１及び裏面２０２の各試薬定量部１３４において、試薬１８，１９が定量される際に、垂直軸線Ａから各定量面１４６までの距離を同じにできる。従って、各定量面１４６に垂直に作用される遠心力の大きさを同じにして、各定量部１４６における定量精度の低下を低減できる。
【００５５】
また、前面２０１の第一接続部１４１Ａの位置と後面２０２の第一接続部１４１Ｂの位置が、検査チップ２の前面２０１及び後面２０２において、検査チップ２の厚み方向において重なる。この構成により、公転の軸芯である垂直軸線Ａ１から前面２０１の第一接続部１４１Ａまでの距離と、垂直軸線Ａ１から後面２０１の第一接続部１４１Ｂまでの距離とが同じになる。従って、各定量面１４６に遠心力が垂直に作用するまでの間に、供給部１３２から試薬定量部１３４の第一接続部１４１方向に注入される試薬１８，１９に作用する遠心力の大きさかが同じになり、より同様に送液することができる。従って、二つの試薬定量部１３４における定量精度の低下を低減できる。
【００５６】
混合部８０は、端部３１５及び流入口３０６の右側を、下方に延びる。混合部８０は、通路１１７を介して検体定量部１１４と繋がっている。混合部８０は、第一接続流路３０１を介して試薬定量部１３４Ａに繋がっている。混合部８０は、第二接続流路３３１を介して、試薬定量部１３４Ｂに繋がっている。混合部８０においては、検体定量部１１４において定量された検体１７Ａ、試薬定量部１３４Ａにおいて定量された第一試薬１８、及び試薬定量部１３４Ｂにおいて定量された第二試薬１９が混合される。後述する光学測定が行われる際には、混合部８０の下部を形成する測定部８１に測定光が透過される。
【００５７】
次に、図３及び図４を参照して、検査チップ２の縦断面の構造について説明する。図４に示すように、検査チップ２は、厚みがｔであり、前面２０１側の試薬定量部１３４Ａの試薬の定量量である容積Ａが後面２０２側の試薬定量部１３４Ｂの試薬の定量量である容積Ｂよりも多く、試薬定量部１３４Ａの容積と後面２０２側の試薬定量部１３４Ｂの容積との比がＡ：Ｂである。前面２０１側の容積の比がＡの試薬定量部１３４Ａの厚み方向の深さＴＡは、後面２０２側の容積の比がＢの試薬定量部１３４Ｂの厚み方向の深さＴＢより深く、ｔ−ＴＡ−ＴＢが、少なくとも試薬定量部１３４Ａ、試薬定量部１３４Ｂにおいて、一定となっている。また、各試薬定量部間の厚みＴ１と各第一案内部１３８間の厚みＴ２は、同じ厚みに形成されている。
【００５８】
図３及び図１１に示すように、容積の比がＢの後面２０２側の試薬定量部１３４Ｂの第一接続部１４１と第二接続部１４２Ｂと間の幅Ｌ１が、容積の比がＡの前面２０１側の試薬定量部１３４Ａの第一接続部１４１と第二接続部１４２Ａと間の幅Ｌ２より狭く形成されている。
【００５９】
また、図４に示すように、検査チップ２の前面２０１の第一案内部１３８Ａには、検査チップ２の厚み方向に対して流路が混合部８０方向に向けて狭くなる傾斜した傾斜面１４４Ａが設けられている。検査チップ２の後面２０２の第一案内部１３８Ｂには、検査チップ２の厚み方向に対して流路が混合部８０方向に向けて拡大する傾斜した傾斜面１４４Ｂが設けられている。
【００６０】
傾斜面１４４Ａ及び傾斜面１４４Ｂの上流側は、各々の第一接続部１４１である。図３、、図１０及び図１１に示すように、第一接続部１４１と第二接続部１４２との間の幅の狭い方、すなわち検査チップ２の後面２０２の試薬定量部１３４Ｂにおいて、供給部１３２の第一案内部１３８Ｂ側の底面１３２Ｂに平行に第二接続部１４２Ｂから引いた直線１５３が第一案内部１３８Ｂの壁面３０８Ｂとの交差する交点が交点３０７である。傾斜面１４４Ｂの下流の端部３９０は、交点３０７より試薬定量部１３４Ｂと反対側に位置する。従って、試薬１９が第一案内部１３８Ｂの浅い方から深い方向に移動する場合は、試薬１９に勢いがついて試薬定量部１３４Ｂへの試薬１９の注入の開始時に第一案内部１３８Ｂから混合部８０方向へ流出してしまうことを低減できる。
【００６１】
検査チップ２の厚み方向において、容積の小さい方の試薬定量部１３４Ｂは容積の大きい方の試薬定量部１３４Ａより浅く、第一案内部１３８が容積の小さい方の試薬定量部１３４Ｂより深い。従って、試薬定量部１３４Ａへの検体及び試薬の注入時に第一案内部１３８Ａに検体及び試薬が流出しやすいが、傾斜面１４４Ａを設けることにより、第一案内部１３８Ａにて保持される試薬１８が試薬定量部１３４Ａに導入されることで、試薬１８が第一案内部１３８Ａから流出することが低減される。
【００６２】
図４に示すように、容積の比がＡの試薬定量部１３４Ａに接続される第一案内部１３８Ａにおいて、第一接続部１４１から下流に向かう第一案内部１３８Ａの検査チップ２の厚み方向の深さＴａは、深さＴＡよりも浅い。容積の比がＢの試薬定量部１３４Ｂに接続される第一案内部１３８Ｂにおいて、第一接続部１４１から下流に向かう第一案内部１３８Ｂの検査チップ２の厚み方向の深さＴｂは、深さＴＢよりも深い。従って、容量の異なる２つの試薬定量部１３４で定量された各試薬１６を、各第一案内部１３８の深さを近づけることにより、より同様に送液することができる。
【００６３】
＜５．検査チップ２のその他構造＞
図１に示すように、Ｌ型プレート６０から延びる支軸４６は、図示外の装着用ホルダを介して板材２０の後面中央に垂直に連結される。支軸４６の回転に伴って、検査チップ２が支軸４６を中心に自転する。検査チップ２は図２及び図３に示す定常状態である場合、上辺部２１及び下辺部２４が重力Ｇの方向と直交し、右辺部２２及び左辺部２３が重力Ｇの方向と平行、且つ、左辺部２３が右辺部２２よりも主軸５７側に配置される。定常状態の検査チップ２が測定位置に配置されている状態において、光源７１と光センサ７２とを結ぶ測定光を測定部８１に通過させることで、検査装置１は光学測定による検査を行う。
【００６４】
＜６．検査方法の一例＞
検査装置１及び検査チップ２を用いた検査方法について説明する。図２に示すように、注入口１１０から検体１７が注入され、検体保持部１１１に配置される。試薬定量流路１３の注入口１３０から第一試薬１８が注入され、試薬定量流路１３の試薬保持部１３１に配置される。図３に示すように、試薬定量流路１５の注入口１３０から第二試薬１９が注入され、試薬定量流路１５の試薬保持部１３１に配置される。第一試薬１８、第二試薬１９、及び検体１７の配置方法は限定されない。例えば、シート２９１，２９２における検体保持部１１１及び試薬保持部１３１に対応する位置に穴が開いており、ユーザが穴から、検体１７、第一試薬１８、及び第二試薬１９を注入し、さらにシールをして封止してもよい。また、予め、第一試薬１８と第二試薬１９とが、試薬定量流路１３，１５のそれぞれの試薬保持部１３１に配置されて、シート２９１，２９２によって封止されていてもよい。この場合、シート２９１における検体定量流路１１の検体保持部１１１に対応する位置に穴が開いており、ユーザが穴から検体１７を注入し、さらにシールをして封止してもよい。
【００６５】
ユーザは検査チップ２を図示外の装着用ホルダに取り付けて、操作部９４から処理開始のコマンドを入力する。これによって、ＣＰＵ９１は、ＲＯＭ９３に記憶されている制御プログラムに基づいて、図５に示す遠心処理を実行する。尚、検査装置１は二つの検査チップ２を同時に検査可能であるが、以下では説明の便宜のため、一つの検査チップ２を検査する手順を説明する。以下の説明では、図２及び図３に示す検査チップ２の定常状態を自転角度０度といい、定常状態から９０度反時計回りに回転した状態を自転角度９０度という。尚、以下の説明においてＣＰＵ９１が検査チップ２を自転角度０度から９０度に回転させる場合、検査チップ２は、前方から見て反時計回りに回転する。また、ＣＰＵ９１が検査チップ２を自転角度９０度から０度に回転させる場合、検査チップ２は、前方から見て時計回りに回転する。
【００６６】
図５に示すように、ＣＰＵ９１は、ＨＤＤ９５に予め記憶されているモータの駆動情報を読み込み、公転コントローラ９７に主軸モータ３５の駆動情報をセットし、自転コントローラ９８にステッピングモータ５１の駆動情報をセットする（Ｓ１）。このとき、検査チップ２は図２及び図３に示すように、定常状態であり自転角度０度である。次いで、図１に示すＣＰＵ９１が公転コントローラ９７を制御し、主軸モータ３５の駆動を開始する（Ｓ２）。この結果、自転角度が０度の検査チップ２が公転する。主軸モータ３５は、公転コントローラ９７の指示に基づき、ターンテーブル３３の回転速度を速度Ｖに上げる。速度Ｖは、例えば３０００ｒｐｍである。この速度Ｖでターンテーブル３３が回転されると、検査チップ２に、数百Ｇほどの遠心力Ｘが作用する。ＣＰＵ９１は主軸モータ３５の回転速度を速度Ｖに保持する（Ｓ３）。図６（Ａ）に示すように、左辺部２３から右辺部２２に向けて、検査チップ２に遠心力Ｘが作用する。遠心力Ｘの作用によって試薬１６は、試薬保持部１３１から供給部１３２に移動する。また、検体１７は、検体保持部１１１から検体供給部１１２に移動する。尚、以下の説明では、ターンテーブル３３の回転速度は速度Ｖで一定であるとするが、速度Ｖの値が遠心処理の途中で変更されてもよい。
【００６７】
次いで、ＣＰＵ９１は自転コントローラ９８を制御してステッピングモータ５１を駆動制御し、図６（Ｂ）に示すように、自転角度９０度まで検査チップ２を回転させる（Ｓ４）。この結果、上辺部２１から下辺部２４に向けて、検査チップ２に遠心力Ｘが作用する。遠心力Ｘの作用によって、試薬１６は、供給部１３２から、第三案内部１３９を介して試薬定量部１３４に流れる。試薬定量部１３４において余った試薬１６は、第二案内部１３７を介して試薬余剰部１３６に流れる。遠心力Ｘは試薬定量面１４６に垂直な方向に作用する。これによって、試薬定量部１３４の容量分の試薬１６が定量される。また、検体１７は、検体供給部１１２から、検体案内部１１３を介して分離部１２４に流れる。分離部１２４において余った検体１７は、通路１２５を介して検体余剰部１２６に流れる。このため、分離部１２４の容量分の検体１７が分離部１２４に残る。分離部１２４の容量は、図２に示す分離部１２４における通路１２５側の端部１４７から、右方向に延びる仮想面１４８より下方の液体流路２５の容量である。
【００６８】
ＣＰＵ９１は、所定時間の間、主軸モータ３５の回転速度を速度Ｖに保持する（Ｓ５）。これによって、所定時間の間、上辺部２１から下辺部２４に向けて、検査チップ２に遠心力Ｘが作用する。これによって、図６（Ｃ）に示すように、分離部１２４においては、検体１７の成分が検体１７Ａと検体１７Ｂとに分離される。例えば、検体１７が血液の場合、比重の大きい血球が遠心力Ｘの作用方向側に溜まり、比重の小さい血漿が遠心力Ｘの作用方向の反対側に溜まる。すなわち、血液中の血球である検体１７Ｂと血漿である検体１７Ａとが分離される。
【００６９】
次いで、ＣＰＵ９１は、自転コントローラ９８を制御してステッピングモータ５１を駆動制御し、図７（Ｄ）に示すように、自転角度０度まで検査チップ２を回転させる（Ｓ６）。この結果、左辺部２３から右辺部２２に向けて検査チップ２に遠心力Ｘが作用する。
【００７０】
図７（Ｄ）に示す状態に検査チップ２の姿勢が変化すると、部分受け部３０４の容量分の第一試薬１８が部分受け部３０４に残る。また、試薬定量部１３４Ａの容量から部分受け部３０４の容量を引いた差分容量分の第一試薬１８が混合部８０に貯留される。また、試薬定量部１３４Ｂにおいて定量された第二試薬１９は、試薬受け部３４１に移動する。また、検体１７Ａは通路１２７を通って第二供給部１２３に移動する。尚、分離部１２４に残った検体１７Ａと、検体１７Ｂの一部とは、連結流路１２０を介して成分保持部１２１に移動する。
【００７１】
次いで、ＣＰＵ９１は、自転コントローラ９８を制御してステッピングモータ５１を駆動制御し、図７（Ｅ）に示すように、自転角度９０度まで検査チップ２を回転させる（Ｓ７）。この結果、上辺部２１から下辺部２４に向けて遠心力Ｘが作用する。遠心力Ｘの作用によって、検体１７Ａは、第二供給部１２３から、第二案内部１２８を介して検体定量部１１４に流れる。検体定量部１１４において余った検体１７Ａは、通路１１５を介して第二余剰部１１６に流れる。遠心力Ｘは検体定量面１２９に垂直な方向に作用する。これによって、検体定量部１１４の容量分の検体１７Ａが定量される。また、部分受け部３０４に保持されていた第一試薬１８は、試薬受け部３０５に移動する。また、試薬受け部３４１に保持されていた第二試薬１９は、試薬受け部３４２に移動する。
【００７２】
次いで、ＣＰＵ９１は、自転コントローラ９８を制御してステッピングモータ５１を駆動制御し、図７（Ｆ）に示すように、自転角度０度まで検査チップ２を回転させる（Ｓ８）。この結果、左辺部２３から右辺部２２に向けて検査チップ２に遠心力Ｘが作用する。
【００７３】
図７（Ｅ）に示す状態から図７（Ｆ）に示す状態に検査チップ２の姿勢が変化する過程及び図７（Ｆ）に示す検査チップ２の姿勢において遠心力Ｘが作用することで、第一試薬１８と検体１７Ａとが混合され、図７（Ｆ）に示すように第一混合液２６１が生成される。また、第二試薬１９は、試薬受け部３４２から試薬受け部３４３に移動する。
【００７４】
次いで、ＣＰＵ９１は、自転コントローラ９８を制御してステッピングモータ５１を駆動制御し、図８（Ｇ）に示すように、自転角度９０度まで検査チップ２を回転させる（Ｓ９）。この結果、上辺部２１から下辺部２４に向けて検査チップ２に遠心力Ｘが作用する。第二試薬１９は、試薬受け部３４３から試薬受け部３４４に移動する。試薬受け部３４４に移動した第二試薬１９は、合流孔部３５１を介して前面２０１に形成された第一接続流路３０１に合流する。
【００７５】
次いで、ＣＰＵ９１は、自転コントローラ９８を制御してステッピングモータ５１を駆動制御し、図８（Ｈ）に示すように、自転角度０度まで検査チップ２を回転させる（Ｓ１０）。この結果、左辺部２３から右辺部２２に向けて検査チップ２に遠心力Ｘが作用する。遠心力Ｘの作用によって、第二試薬１９は混合部８０に移動し、第一混合液２６１と合流する。遠心力Ｘの作用によって、第一試薬１８、第二試薬１９、及び検体１７Ａが混合された第二混合液２６２が生成される。
【００７６】
次いで、ＣＰＵ９１は、自転コントローラ９８を制御してステッピングモータ５１を駆動制御し、図８（Ｉ）に示すように、自転角度９０度まで検査チップ２を回転させる（Ｓ１１）。この結果、上辺部２１から下辺部２４に向けて検査チップ２に遠心力Ｘが作用する。遠心力Ｘの作用によって、第二混合液２６２は、測定部８１に移動する。
【００７７】
図８には図示しないが、Ｓ１１が実行された後、ＣＰＵ９１は自転コントローラ９８を制御し、ステッピングモータ５１を駆動する。ＣＰＵ９１は、自転角度０度まで検査チップ２を回転させる（Ｓ１２）。また、ＣＰＵ９１は公転コントローラ９７を制御し、主軸モータ３５の回転を停止する（Ｓ１２）。故に、検査チップ２の公転が終了する。遠心処理は終了される。
【００７８】
遠心処理の実行後、ＣＰＵ９１は公転コントローラ９７を制御し、検査チップ２を測定位置の角度まで回転移動させる。図１に示す測定コントローラ９９が光源７１を発光させると、測定光が測定部８１に貯溜された第二混合液２６２を通る。ＣＰＵ９１は光センサ７２が受光した測定光の変化量に基づいて、第二混合液２６２の光学測定を行い、測定データを取得する。ＣＰＵ９１は、取得された測定データに基づいて、第二混合液２６２の測定結果を算出する。測定結果に基づく第二混合液２６２の検査結果が、図１に示すディスプレイ９６に表示される。尚、第二混合液２６２の測定方法は、光学測定に限られず、他の方法でもよい。
【００７９】
＜７．本実施形態の主たる作用・効果＞
以上のように本実施形態における測定が実行される。上記態様に係る検査チップ２によれば、二つの定量部１３４Ａ，１３４Ｂが、検査チップ２の前面２０１及び後面２０２に各々設けられるので、検査チップ２を面方向において小型化できる。また、検査チップ２の前面２０１において、第一接続部１４１と第二接続部１４２を結ぶ線分１４６Ａと、裏面２０２において第一接続部１４１と第二接続部１４２とを結ぶ線分１４６Ｂとが検査チップの厚み方向において重なる部分がある。これにより、検査チップ２が、垂直軸線Ａ１を中心に回転され、前面２０１及び後面２０２の各定量部１３４において、試薬が定量される際に、検査チップ２の前面２０１及び後面２０２において、第一接続部１４１と第二接続部１４２とを結び試薬を定量する定量面１４６を垂直軸線Ａ１から同じ距離にできる。従って、各定量面１４６に垂直に作用される遠心力の大きさを同じにして、各定量部１４６における定量精度の低下を低減できる。
【００８０】
また、上記態様に係る検査チップ２によれば、前記検査チップの表面における第一接続部の位置と、検査チップの裏面における第一接続部の位置とが、検査チップの厚み方向において重なる。従って、公転の軸芯である垂直軸線Ａ１から前面２０１の第一接続部１４１Ａまでの距離と、垂直軸線Ａ１から後面２０１の第一接続部１４１Ｂまでの距離とが同じになる。従って、供給部１３２から試薬定量部１３４に、試薬が注入される場合に、各定量面１４６に遠心力が垂直に作用するまでの間に、第一接続部１４１に作用する遠心力の大きさを検査チップ２の前面２０１及び後面２０２において同じにできる。従って、供給部１３２から試薬定量部１３４の第一接続部１４１方向に注入される試薬に作用する遠心力の大きさかが同じになり、より同様に送液することができる。従って、二つの試薬定量部１３４における定量精度の低下を低減できる。
【００８１】
上記態様に係る検査チップによれば、二つの前記定量部の容積の比がＡ：Ｂであり、且つ、Ａ＞Ｂである場合に、容積の比がＡの試薬定量部１３４Ａの厚み方向の深さＴＡは、は、容積の比がＢの試薬定量部１３４Ｂの厚み方向の深さＴＢより深く、深さＴＡが深い試薬定量部１３４Ａ裏面側には、深さＴＢが浅い試薬定量部１３４Ｂが存在し、検査チップを面方向において小型化できる。また、試薬定量部１３４において、ｔ−ＴＡ−ＴＢが一定であるので、２つの定量部の間の壁の厚みが均一化して、成形収縮によって生じる凹みを低減できる。
【００８２】
上記態様に係る検査チップ２によれば、検査チップ２の厚み方向において、容積の小さい方の試薬定量部１３４Ｂは容積の大きい方の試薬定量部１３４Ａより浅く、第一案内部１３８が容積の小さい方の試薬定量部１３４Ｂより深い。
従って、試薬定量部１３４Ａへの検体及び試薬の注入時に第一案内部１３８Ａに試薬が流出しやすい。しかし、傾斜面１４４Ａを設けることにより、第一案内部１３８Ａにて保持している試薬が試薬定量部１３４Ａに導入されることで、試薬が第一案内部１３８Ａから流出することが低減される。また、後面２０２において、斜面１４４Ｂは、第一接続部１４１から、供給部１３２の鉛直下方向の面である底面１３２Ｂに平行に第二接続部１４２から引いた直線１５３が第一案内部の壁面３０８Ｂとの交差する交点３０７より試薬定量部１３４Ｂと反対側まで形成される。従って、試薬定量部１３４Ｂへの試薬の注入時に、定量面１４６に遠心力が垂直に作用するまでの間に、この長さの傾斜面１４４Ｂにより、検体または試薬が第一案内部１３８Ｂから流出することが低減される。
【００８３】
上記実施形態において、第一試薬１８は本発明の「試薬」の一例である。第二試薬１９は本発明の「追加試薬」の一例である。試薬定量部１３４Ａは本発明の「定量部」の一例である。試薬定量部１３４Ｂは本発明の「定量部」の一例である。前面２０１は本発明の「表面」の一例であり、後面２０２は本発明の「裏面」の一例である。
【００８４】
尚、本発明は上記の実施形態に限定されるものではなく、種々の変更が可能である。例えば、第一試薬１８は、検体に変えてもよい。また、測定部８１は、混合部８０の下部であったが、混合部８０とは別に設けられていてもよい。
【００８５】
尚、検査チップ２の後面２０２の第二接続流路３３１に設けられている試薬受け部３４１〜３４４の数である４つは、前面２０１試薬定量部１３４Ａにおいて定量された第一試薬１８の一部を受けることが可能な受け部である部分受け部３０４と試薬受け部３０５との数である２つより多い。図９は、本発明の第二実施形態の検査チップ２の図２のＸ１−Ｘ２線における縦断面図である。この場合には、図９に示すように、第一案内部１３８の下流側において、検体または試薬を受ける受け部の数が多い方の面である後面２０２側の試薬定量部１３４Ｂの深さは、検体または記試薬を受ける受け部の数が少ない方の面である前面２０１の試薬定量部１３４Ａの深さより深くしてもよい。すなわち、試薬定量部１３４Ｂの深さＴＢは、試薬定量部１３４Ａの深さＴＡより深くしてもよい。
【００８６】
二接続流路３３１に設けられている試薬受け部の数は、前面２０１試薬定量部１３４Ａにおいて定量された第一試薬１８の一部を受けることが可能な受け部である部分受け部３０４と試薬受け部３０５との数である２つより多い。受け部の数が多い方の面２０２側の試薬定量部１３４Ｂは、各受け部に注入される試薬の容量を十分に確保する必要がある。試薬定量部１３４Ｂの深さを深くすることで、試薬定量部１３４Ｂの容量が増加されて、試薬の容量が確保される。従って、定量部の面積を大きくすることなく、検査チップ２を面方向において小型化できる。
【００８７】
また、試薬定量流路１５と第二接続流路３３１とは後面２０２側に形成され、試薬定量流路１３と第一接続流路３０１とは前面２０１に形成されていたが、これに限定されない。例えば、試薬定量流路１５、第二接続流路３３１、試薬定量流路１３、及び第一接続流路３０１が前面２０１に形成されてもよい。この場合、第一接続流路３０１と第二接続流路３３１とが合流孔部３５１において合流するのではなく、前面２０１の流路において合流してもよい。また、試薬定量流路１５及び第二接続流路３３１が検査チップ２に設けられなくてもよい。
【００８８】
本発明は、上記実施の形態に限られず、各種の変形が可能である。例えば、本実施例では、検査チップ２の前面２０１の試薬定量部１３４Ａ及び後面２０２の試薬定量部１３４Ａにおいて、試薬を定量しているが、何れか一方の試薬定量部を検体の定量に使用してもよい。
【符号の説明】
【００８９】
１ 検査装置
２ 検査チップ
１７，１７Ａ，１７Ｂ 検体
１８ 第一試薬
１９ 第二試薬
２０ 板材
８０ 混合部
１１４ 検体定量部
１２８ 第二案内部
１２９ 検体定量面
１３４，１３４Ａ，１３４Ｂ 試薬定量部
１３７ 第二案内部
１３８  第一案内部
１３９ 第三案内部
１４０  第二端部
１４１ 第一接続部
１４２ 第二接続部
１４４Ａ，１４４Ｂ  傾斜面
１４６ 試薬定量面
２０１  前面
２０２  後面
３０７  交点
【図１】
0005958452.tif 000002
【図２】
0005958452.tif 000003
【図３】
0005958452.tif 000004
【図４】
0005958452.tif 000005
【図５】
0005958452.tif 000006
【図６】
0005958452.tif 000007
【図７】
0005958452.tif 000008
【図８】
0005958452.tif 000009
【図９】
0005958452.tif 000010
【図１０】
0005958452.tif 000011
【図１１】
0005958452.tif 000012